(57)【要約】【課題】尿検査診断に於いて、家庭、職場等に容易に携帯し尿流量のデータを取得し記録及び表示する。さらにそのデータをデータ処理し、排尿機能診断に供する尿流率特性表図４を作成する尿流量測定装置を提供する。【解決手段】捕集容器１１に放尿された尿は最下部より傾斜樋１２に自由落下する。その尿は傾斜樋１２の傾斜角によりきまる速度で漏斗１４に流出し、その下部出口より排出する。傾斜樋１２下部に設置する荷重センサ１３，荷重センサａ  ３ａ  によりその流速に相当する尿流量の質量を計測する。    その計測データは  データ処理基板８にてメモリカード９に記録し、表示する。このメモリカード９に記録された計測データは別置するデータ処理装置１１にてデータ処理を行い、排尿診断データとしての尿流量率特性表図４を作成する。【選択図】        図１
2005030788.tif 000002
【特許請求の範囲】
【請求項１】
取っ手７を使用して捕集容器１に捕集した尿は下部開口部  より流出する。その尿は荷重センサ３に保持された傾斜樋２に受けられ、傾斜樋２の傾斜角Βと傾斜樋２を流れる流路長Ｌにより決まる滞留時間Ｔで傾斜樋２より流出し、漏斗５に受けられ、その下部出口より流出する。傾斜樋２を流れる尿の質量は荷重センサ３にて傾斜樋２質量を含めた総和として計測される。  この傾斜樋２の質量相当分の出力信号値を荷重センサ３の出力信号値より差し引くことにより、尿流量の質量として計測できる。この質量のデータを一定周期でデータ処理基板８にて収録する。
取っ手７で尿流量測定装置を保持する為、尿流量測定装置自身が振動することにより、荷重センサ３には、変動荷重として計測される。この変動荷重は尿流量質量と関係しない誤差荷重である。この誤差信号をキャンセルする為、荷重センサ３と同一センサベース板４に傾斜樋２相当分の模擬荷重３ｂを載せた荷重センサａ１３ａ設置している。この荷重センサａ３ａにも同一変動荷重が計測される。荷重センサ１３の出力信号値より荷重センサａ３ａの出力信号値を引くことにより、この変動荷重はキャンセルする。このキャンセルした尿流量の質量信号はデータ処理基板８にて一定周期ごとにデジタル数値として、メモリカード９に記録される。併せて  その数値を表示器１０に表示する。上記機能を備えた尿流量測定器。
【請求項２】
取っ手７を使用して捕集容器１に捕集した尿は下部開口部より  流出する。その尿は過重センサ３に保持された傾斜樋２に受けられ、傾斜樋２  の傾斜角Βと傾斜樋２を流れる流路長さＬにより決まる滞留時間Ｔで傾斜樋２より流出し、漏斗５に受けられ、その下部出口より流出する。傾斜樋２を流れる尿の質量は荷重センサ３にて傾斜樋２質量を含めた総和として計測される。  この  傾斜樋２の質量相当分の出力信号値を荷重センサ３の出力信号値より引くことにより、尿流量の質量として計測できる。
取っ手７で尿流量測定装置を保持する為、尿流量測定装置自身が振動することにより、荷重センサ３には、変動荷重として計測される。この変動荷重は尿流量の質量と関係しない誤差荷重である。荷重センサ３と同一センサベース板４に傾斜樋２相当分の模擬荷重３ｂを載せた荷重センサ３ａ設置している。  この荷重センサａ  ３ａにも同一変動荷重が計測される。荷重センサ３の出力信号値より荷重センサａ  ３ａの出力信号値を引くことにより、変動荷重はキャンセルする。  このキャンセルした尿流量の質量信号はデータ処理基板８にてデジタル変換し、その尿流量の質量として時系列にメモリカード９に記録される。そのメモリカード９を別途設置するデータ処理装置１１にて尿流率特性表図４を表示する尿流量測定装置
【請求項３】
仮置きし固定設置として使用する場合では尿流量測定装置の捕集容器１に捕集した尿は下部開口部より流出する。その尿は荷重センサ３に  保持された傾斜樋２に受けられ、傾斜樋２の傾斜角Βと傾斜樋２を流れる流路長Ｌにより決まる滞留時間Ｔで傾斜樋２より流出し、漏斗５に受けられ、その下部  出口より流出する。傾斜樋２を流れる尿の質量は荷重センサ３により傾斜樋２の質量を含めた総和として計測される。  この傾斜２の質量相当分の出力信号値を荷重センサ３の出力樋信号値より引くことにより、尿流量の質量として計測される。この計測データは単位時間当りの質量であるので、この収録したデータを積分処理することにより総尿量として記録表示する尿流量測定機器
【発明の詳細な説明】
【０００１】
【発明が属する技術分野】
本発明は、排尿機能診断に供する尿流量率特性表と尿量を取得する尿流量測定装置に関するものである。
【０００２】
【従来の技術】
従来この種の尿流量測定装置は円板駆動式図５に示すようなものがある。この方式では容器１９はスタンド２３により固定させる。採尿された尿は容器１９の下部に配置する円板２０に滴下する。
この円板２０は円中心部が高く成っており、円周方向に等間隔に溝を設け、尿はこの溝に沿って流れる。この円板２０はモータ２１の駆動軸に直結されており、モータ２１を一定回転数で駆動させておけば、円板に流れる尿流量によりモータ駆動電流は尿流量に比例して変化する。この変化量を計測することにより尿流量換算できる。
【０００３】
容器の下部に荷重センサを配置させて捕集する尿量による質量の変化量を計測する方式もある。又、容器に捕集した尿の液位を超音波センサにより計測し、  その液位変化量で尿流量に換算するものもある。いずれの方式でも通常は固定  設置方式となる為、病院等の設置となる。
【０００４】
【発明が解決しようとする課題】
前述の従来の方式では、通常病院等に設置されており、家庭及び職場等で簡単に使用は構造上小型軽量化が困難であり、携帯には適さないことで問題が  あった。
【０００５】
【課題を解決するための手段】
本発明は、尿を溜めることなく、その流れを傾斜樋２に流し、その流れの尿質量を荷重センサ３にて連続するアナログ量で計測する。その計測されるアナログ量である尿流量の質量を一定周期毎にサンプリングし、質量データとして  取得する。そのデータをデータ処理基板８にてデジタル変換し尿流量データとして時系列にメモリカード９に記録する。
【０００６】
傾斜樋２に流れる尿の質量をサンプリングして、その質量を計測することにより、単時間当たりの尿量すなわち尿流量を以下の計算式により求めることが出来る。その説明を図３により以下に詳細に説明する。
傾斜樋２を流れる尿流速Ｖは以下の式により、傾斜樋２の尿が流れる長さＬとその傾斜角Βで決まる。
Ｖ  ＝  √２ＧＨ
Ｈ  ＝  Ｌ＊ｔａｎΒ
Ｖ  ＝  √２Ｇ＊Ｌ＊ｔａｎΒ
ここでＧは重力加速度である。Ｈは傾斜樋に流れる尿の重力方向の高さである。
一方傾斜樋２に流れる尿が傾斜樋２に滞留する時間（Ｔ）は以下の式で示す通り傾斜樋２の形状で決まる。
Ｔ  ＝Ｌ  ／Ｖ
Ｔ  ＝Ｌ／√２Ｇ＊Ｌ＊ｔａｎΒ
Ｔ＝  √Ｌ／２Ｇ＊ｔａｎΒ
従って、Ｔ時間毎（サンプリング時間＝Ｔ）に計測樋２に流れる尿質量を計測することにより、単位時間当りの流れる尿質量が計測される。実用上は尿流量変動等を考慮して  、滞留時間Ｔの数倍（３回以上）のサンプリングデータを  取得しその平均値とすればよい。
【０００７】
メモリカード９に記憶されている尿流量データより、別途設置するデータ処理装置１１により排尿機能診断に必要とする尿流量率特性表（図４）を得る。
【０００８】
この構成により尿流量測定装置は構造が他の方式と比較してシンプルであり小型軽量となる。携帯に伴う変動荷重による誤差信号は荷重センサａ３及び減算器１３を設けることにより、キャンセルすることができる。
【０００９】
【発明の実施の形態】
尿流量を本発明の方式で計測することにより小型軽量化を実現する。併せて携帯に伴う振動等による変動荷重誤差を荷重センサａと減算器１３を設けた携帯用尿流量測定装置を以下に具体的に説明する。固定式で用いる場合は変動荷重をキャンセルする荷重センサａ３ａと減算器１３を除いたものである。
【００１０】
【実施例１】
図１は本装置の構成図である。  図２はシステム構成図である。図３は尿流量のサンプリング計測の説明図である。これらの図面で詳細説明する。
取っ手７を使用して捕集容器１に捕集した尿は下部開口部より流出する。その尿は荷重センサ３に保持された傾斜樋２に受けられ、傾斜樋２の傾斜角Βと傾斜樋２をを流れる流路長Ｌにより決まる滞留時間Ｔを経て傾斜樋２より流出し、漏斗５に受けられ、その下部出口より流出する。    傾斜樋２を流れる尿の質量は荷重センサ３により傾斜樋２質量を含んだ質量として計測される。  この傾斜樋２の質量相当分の出力信号値を荷重センサ３の出力信号値より差し引くことにより、尿流量の質量として計測できる。  この質量を一定周期でデータ処理基板８にてデジタル値としてメモリカード９に収録する。一方、取っ手７で尿流量測定装置を保持する為、尿流量測定装置自身が振動することにより、荷重センサ３には、変動荷重として計測される。この変動荷重は尿流量質量と関係しない誤差荷重である。この誤差信号をキャンセルする為、荷重センサａ１３ａと同一センサベース板４に、荷重センサ３にかかる傾斜樋２相当分の模擬荷重３ｂを搭載する荷重センサａ３ａを設置する。この荷重センサａ３ａにも同じ変動荷重が計測される。荷重センサ３の出力信号値より荷重センサａ３ａ出力信号値を差し引くことにより、  この変動荷重はキャンセルする。  のキャンセルした尿流量の質量信号はデータ処理基板８にて一定周期ごとにデジタル数値として、メモリカード９に記録される。併せてその数値を表示器１０に表示する。  放尿時の飛散を防ぐ為の飛散防止ガイド６を取付けて使用する場合もある。又ベッド上等での使用に対応する為、蓄尿カセット６ａを使用する場合もある。
【００１１】
【実施例２】
実施例１にしめした図１、図２と図４尿流量特性表の図面により、以下詳細に説明する。
取っ手７を使用して捕集容器１に捕集した尿は下部開口部より流出する。その尿は過重センサ３に保持された傾斜樋２に受けられ、傾斜樋２より流出し、  漏斗５に受けられ、その下部出口より流出する。傾斜樋２を流れる尿の質量は荷重センサ３により傾斜樋２の質量を含めた総和として計測される。  この傾斜樋２  の質量相当分の出力信号値を荷重センサ３の出力信号値より差し引くことにより尿流量の質量として計測できる。
取っ手７で尿流量測定装置を保持する為、尿流量測定装置自身が振動することにより、荷重センサ３には、変動荷重として計測される。  この変動荷重は尿流量の質量と関係しない誤差荷重である。  荷重センサ３と同一センサベース板４に荷重センサ３にかかる傾斜樋２相当分の模擬荷重１３ｂを搭載する荷重センサａ３ａを設置する。この荷重センサａ３ａにも同一変動荷重が計測される。    荷重センサ３出力信号値より荷重センサａ３ａの出力信号値を差し引くことにより、  変動荷重はキャンセルする。このキャンセルした尿流量の質量信号はデータ処理基板８にてデジタル変換し、その尿流量の質量としてメモリカード９に記録される。  そのメモリカード９を別途設置するデータ処理装置１１により尿流量特性表図４を表示させる。
【００１２】
【発明の効果】
以上説明したように本発明の尿流量測定装置は尿流量を単位時間当たりの質量として、サンプリング計測することにより、  排尿機能診断で必要とする尿流量データを取得する。そのデータはメモリカード９に記録される。これにより携帯可能な小型軽量な装置となる。又、携帯に伴う変動誤差をキャンセルできる機能を具備している。  これらの機能により家庭、職場等で簡単に使用でき、そのメモリーカード９に記録された尿流量データをもとに、データ処理装置にて容易に排尿診断データとしての、尿流量率特性表図４を作成することが出来る。
【図面の簡単な説明】
【図１】この発明での実施の形態の構成を示す構成図である。
【図２】この発明での実施の形態（実施例―２）示すシステム構成図である。
【図３】この発明での尿流量をサンプリング計測により求める説明図である。
【図４】この発明での尿機能診断に供せられる尿流率特性表である。
【図５】従来技術の実施例を示す全体構成図である。
【符号の説明】
１    捕集容器
２    傾斜樋
３    荷重センサ
３ａ    荷重センサａ
３ｂ      模擬荷重
４    センサベース板
５    漏斗
６    飛散防止ガード
６ａ    蓄尿カセット
７    取っ手
８    データ処理基板
９    メモリカード
１０  表示器
１１  データ処理装置
１２  リアルタイムクロック回路
１３  減算器
１４  アナログデジタル変換器
１５  マイクロコンピュータ
１６  コネクタ
１７  電池
１８  ガード
１９  容器
２０  円板
２１  モータ
２２  蓄尿容器
２３  スタンド
２４  モータコントローラ
【図１】
2005030788.tif 000003
【図２】
2005030788.tif 000004
【図３】
2005030788.tif 000005
【図４】
2005030788.tif 000006
【図５】
2005030788.tif 000007